(57)【特許請求の範囲】
【請求項１】
携帯用のため連結金具で固定できるように重ね合わされたボックスフレーム上部Ａとボックスフレーム下部Ｂを分離し、ボックスフレーム上部Ａのみを反転させて、ボックスフレーム上部Ａとボックスフレーム下部Ｂとが一部分で重複するようにボックスフレーム下部Ｂに固定して、重複一体構造にすることが可能な連結金具を、ボックスフレーム上部Ａとボックスフレーム下部Ｂとにそれぞれ取り付けると共に、前記重複一体構造のボックスフレームを釣り台として支持するための支脚を挿入する角穴をボックスフレームの前方及び後方に設け、支脚を前記角穴に挿入し、ボックスフレームサイドから四本の支脚をボルト付ラチェットレンチで締め付ける方法により安全になおかつ水平に固定できるようにしたボックスフレーム段差型携帯用腰掛釣り台。
【請求項２】
請求項１において、支脚を固定する方法として、ボックスフレームをパイプ形状とすることでパイプ内の支脚差込穴上部接点１と支脚差込穴下部接点２を対抗側となるボックスフレームサイド中央からボルト付ラチェットレンチなどで締めつけ、接点３において支脚を固定することで支脚の上下のずれや左右のゆれ防止となり、釣り台を水平に安全に固定できるボックスフレーム段差型携帯用腰掛釣り台。
【請求項３】
請求項１又は２において、釣行時に必要な各種道具類を入れる携帯用バックや釣り竿ケースなどを釣り台周辺部に備え置くため、Ｌ字金具付平面板が装着できる穴をボックスフレームサイド四方に設け、平面板の端に携帯用バックなどの重量物を支えられるようにするため伸縮自在の支脚が挿入できる構造とし、支脚をトグルクランプなどで固定できるようにしたＬ字金具付平面板設置可能なボックスフレーム段差型携帯用腰掛釣り台。
【発明の詳細な説明】
【技術分野】
【０００１】
本発明は、二つのボックスフレームを一体構造にすることで段差構造を可能にした携帯用腰掛釣り台に関するものである。
【背景技術】
【０００２】
携帯用釣り台は、へらぶな釣りにおいて長時間同じ場所で釣ることが多くまた釣り場のほとんどが平坦でないため釣り台を水平に保ち、台の上に座ることができるように支脚を取り付け、支脚の高さを容易に調節ができる釣り台として楽な姿勢で釣りを楽しむために開発された釣り道具である。こうした背景で生まれた釣り台は、携帯性が重視されコンパクトで組み立てが簡易でかつ軽量である必要があった。現在の携帯用釣り台は、平面の釣り台として普及し、釣り人が胡坐か縦長平面台にまたがって座る釣り台、イス型に座るタイプの釣り台などが一般に普及している。また知られている技術として段差構造の腰掛釣り台などがある。
【０００３】
携帯性の重視は、台そのものをできるだけコンパクトに軽量化することが課題となり、その狭い限られたスペースでの長時間釣行は釣り人の姿勢に窮屈さをもたらし、それを改善するために段差マットや平面台で使用できるイスなどが開発され現在普及している。
【０００４】
本発明は、そうした段差をマットやイスに頼ることなく、釣り台の構造を変えることで改善することが可能である。ボックスフレーム段差型腰掛構造によって適度な段差をつくり釣行時における安定した姿勢を維持することにより身体的負荷を少なくし、安全でバランスのとれた姿勢で快適に長時間楽しく釣りをすることが可能となる。
【０００５】
従来から用いられている釣り台は、縦長平面台に両足を跨いで腰掛ける釣り台、平面台にあぐらに座る釣り台、両足を段差のある踏み台に揃えて腰掛けるイス型釣り台などがあり、また知られている技術として段差構造の腰掛釣り台などがある。
【特許文献１】実開昭６０−７７６７号公報
【特許文献２】実開平３−３５１０４号公報
【特許文献３】実登３０６４８１５号公報
【特許文献４】実登３０８７２３４号公報
【特許文献５】特開２００４−３２１１６１号公報
【特許文献６】実登３１１９２５１号公報
【特許文献７】実開平６−５４７７号公報
【発明の開示】
【発明が解決しようとする課題】
【０００６】
特許文献５において発明された段差構造の釣り台は、数枚の平面版などを複雑に折り曲げて段差構造をなすが、数箇所を付属品で固定する必要があり、容易に組み立てができないことや、段差構造ではあるが座台の下に足を組みいれることができないため、釣り姿勢のバランスが悪く、安定した釣行に欠けるなどの課題がある。
【０００７】
特許文献６においては、ボックス型と蓋状に組み合わせた平面板との構造であり、蓋状の平面板を引きあげることで段差構造が実現するものの、身体的加重を想定し座台となる平面板を一部分重複させた形状であるため、座台スペースを狭くしてしまうことになり、長時間安定した釣行姿勢を確保できないなどの構造上の課題がある。
【０００８】
従来用いられている釣り台において、重量のある携帯用バックなどはそれを置く台として釣り台に連結、装着しにくい構造であることや物置台などの付属品を釣り台に収納できないなどの利用上の課題があり、現在釣り台の後方に簡易に接続したアームや平面台などを利用し釣行することが一般的である。
【課題を解決するための手段】
【０００９】
本発明は、ふたつのボックスフレームを脱着、組み替えして重複連結することにより、容易に段差のある釣り台の構造を実現することが可能となり、連結位置を重複させても座台スペースを狭めないことが特徴である。
【００１０】
ボックスフレームを重複連結する構造は、身体的加重を受け止められる構造であるとともに、重複したボックスフレーム上部とボックスフレーム下部との段差スペースに釣り人の足を組み入れられる立体的段差構造が実現できる。
【００１１】
釣り台の安全性については、ボックスフレーム構造は有効であり、さらに身体的加重がかかる釣り台を水平に維持するために支脚の固定方法も重要な課題のひとつである。本発明は、ボックスフレームをパイプ形状にすることにより角穴を設け、支脚を固定するボックスフレームのパイプ内接点を２点、ボックスフレームのパイプ対抗側中央からボルト付ラチェットレンチによる締めつけとする接点の合計３点で固定することにより、さらに安定した釣り台となる。
【００１２】
釣行時、釣り台周辺部に釣りに必要な各種道具類を入れた携帯用バックなどを備え置くことが求められている中、本発明において小物類や重量のある携帯用バック類が置けるＬ字金具付き平面板を装着、設置できる挿入穴をボックスフレームサイドに設け、平面板にはその重量をささえられる置き台として支脚が設置できる構造とし、平面板を釣り人の便利な位置に装着、設置が可能とした。
【発明の効果】
【００１３】
本発明のボックスフレーム構造の強度安全性は、二つのボックスフレームを重複連結する部分が多ければ多いほど釣り台の安全性が高まり、ボックスフレーム重複段差構造においては立体的なスペースが生まれ、使用上において平面の釣り台より長さにおいてコンパクト化が実現し、より携帯性が高まる。近年釣り人の安全性がさらに求められる中、釣り台に付加加重がかかっても折れ曲がりにくい構造であり、安全性と携帯性における効果は大きい。
【００１４】
本発明は、安定した姿勢で長時間楽しく釣りをするために生まれたものであり、ボックスフレーム構造による立体的な段差構造は、座台に座った釣り人の足をその段差スペースに組み入れられることによりバランスのよい姿勢を保つことができ、長時間の釣行が可能であるところに効果がある。
【００１５】
釣行者の傾向として近年、若年層や女性の方が増えており、日本の生活習慣も正座やあぐら座からイス型の腰掛け生活が一般的であり、各年代層の男性・女性を含め、さらに多くの世代の釣り人にへらぶな釣りに関心をもってもらうためにもへらぶな釣りの釣りスタイルの変革に本発明は期待できる。
【００１６】
釣行時において、釣りに必要な各種道具、餌類が入った重量のある携帯用バック類が身近に備え置けることは釣り人の利便性はかなり高くなり、頻繁に釣りの各種仕掛や小物入れを取り出したり、餌などを替えたりできるために釣行時の装備の一部分として効果は大きい。
【発明を実施するための最良の形態】
【００１７】
本発明は二つのボックスフレームから構成され、ボックスフレーム上部とボックスフレーム下部とを組み替えて重複連結し固定することで一体化させ、段差を生じさせる腰掛構造を実現した。以下に実施例を図において説明する。
【実施例１】
【００１８】
図１は、ボックスフレーム段差型腰掛釣り台の携帯時の姿図であり、図１の形状から図２においてボックスフレーム上部Ａとボックスフレーム下部Ｂをフック金具ウと連結金具エから外した後、ボックスフレーム上部Ａの取手Ｇを引いて引っ掛け金具アを引っ掛け金具差込角穴イから外し、ボックスフレーム上部Ａとボックスフレーム下部Ｂを分離させ、図３に示すボックスフレーム上部Ａのみを反転させた状態でボックスフレーム下部Ｂに連結させる。
【００１９】
連結の方法は、図３に示すボックスフレーム上部Ａに設置した引っ掛け金具アをボックスフレーム下部Ｂの引っ掛け金具差込角穴イに入れ、ボックスフレーム上部Ａを押し込む方法で一体化させ、ボックスフレーム上部Ａの両サイドのフック金具ウにボックスフレーム下部Ｂの連結金具エで固定することで一部重複一体構造を実現する。
【実施例２】
【００２０】
図４は、ボックスフレーム上部Ａとボックスフレーム下部Ｂとを連結固定した姿図である。さらにボックスフレーム四方角に設けた支脚差込角穴オに伸縮自在な支脚カを挿入し、支脚差込角穴オのサイド中央に設置したボルト付ラチェットレンチＤにおいて支脚を締め付け固定できる構造とした。
【００２１】
図８は支脚固定の断面詳細を示しており、ボックスフレームをパイプとすることでフレームのパイプ内部側面に板付ナットＥと、ボルトが支脚締め付け時にあたる部分に金属板キを取り付け装着し、ボックスフレームのパイプ上下に開けた支脚差込角穴オに支脚カを差し込み、ボックスフレームのパイプ外部側面からボルト付ラチェットレンチを回転させながら支脚を締め付け固定する。さらに金属板キの設置はボルトの締め付け時における支脚への食い込み破損を妨げられる。
【００２２】
支脚の固定について、ボックスフレーム両サイドに設置しているボルト付ラチェットレンチＤを右サイド・左サイドとなるようボックスフレームに向き合った時、支脚をボルト付ラチェットレンチで同一方向に回転させながら締め付け固定ができるようにするため、サイド毎に図８の板付ナットＥとボルト付ラチェットレンチＤを右ネジ又は左ネジ仕様とすることにより釣り台の設営における操作性を容易にした。
【実施例３】
【００２３】
図５は、ボックスフレームに支脚挿入を完了した釣り台の全体姿図であり、図６は、釣り台使用時の腰掛姿図の一例で、図７は段差構造下部にあたる段差スペース６に足組みいれた釣行姿勢の一例である。
【実施例４】
【００２４】
図９の平面板Ｃは、重量のある物置き台として利用できるようにするため、平面板Ｃに取り付けた２本のＬ字金具ケをボックスフレームのＡ・Ｂのサイド四方にそれぞれ設置した各種付属品アーム類差込穴クに挿入し、図１１において平面板Ｃの端に挿入できるようにした支脚カをトグルクランプＦで固定する方法で釣り台本体に装着する。
【００２５】
これはボックスフレームがパイプ構造であり、図１０に示す２本のＬ字金具ケの接点４が釣り台本体の支脚内側の位置に支点ができ、Ｌ字金具ケと各種付属品アーム類差込穴クの接点５との各２点の合計４点で平面板Ｃにかかる加重をある程度支えることができる。さらに図１０又は１１の平面板Ｃの端に金属パイプＨを取り付け、金属パイプに支脚挿入穴コとトグルクランプ支脚止め穴サを開け、支脚を支脚挿入穴コへ挿入しトグルクランプＦで固定することにより平面板Ｃにかかる重量を支えられる。図６は携帯用バックなどの物置き台設置使用の一例である。
【図面の簡単な説明】
【００２６】
【図１】携帯時の釣り台を示した姿図である。
【図２】携帯時の形状から二つのボックスフレームが分離される状態の姿図である。             （実施例１）
【図３】ボックスフレーム組み立て連結前の姿図である。（実施例１）
【図４】ボックスフレーム連結固定完了の姿図である。（実施例１又は２）
【図５】支脚挿入後の姿図で使用時の姿図である。（実施例２又は３）
【図６】釣り台使用時の腰掛姿図の一例で小物置きテーブルや竿ケース置きアーム、携帯用バック置き平面板の使用一例である。（実施例３または４）
【図７】ボックスフレーム段差構造の断面における腰掛姿の一例である。（実施例３）
【図８】上図はボックスフレームのパイプ内支脚固定の詳細断面図であり、下図はボックスフレームのサイド中央に設置したボルト付ラチェットレンチで支脚を固定する姿図である。（実施例２）
【図９】Ｌ字金具付平面板をボックスフレームの各種付属品アーム類差込穴クに装着する前の姿図である。（実施例４）
【図１０】ボックスフレームに装着したＬ字金具付平面板の断面図でありＬ字金具接点と支脚を固定するトグルクランプの詳細断面図である。（実施例４）
【図１１】平面板に取り付けたトグルクランプにおいて支脚を固定する形態図である（実施例４）
【符号の説明】
【００２７】
Ａ    ボックスフレーム上部
Ｂ    ボックスフレーム下部
Ｃ    平面板
Ｄ    ボルト付ラチェットレンチ
Ｅ    板付ナット
Ｆ    トグルクランプ
Ｇ    取手
Ｈ    金属パイプ
ア    引っ掛け金具
イ    引っ掛け金具差込角穴
ウ    フック金具  
エ    連結金具（パッチン錠）  
オ    支脚差込角穴
カ    支脚
キ    金属板
ク    各種付属品アーム類差込穴
ケ    Ｌ字金具
コ    支脚挿入穴
サ    トグルクランプ支脚止め穴
１    パイプ支脚止め接点１
２    パイプ支脚止め接点２
３    ボルト付ラチェットレンチ支脚止め接点３
４    Ｌ字金具挿入時における接点４
５    Ｌ字金具挿入時における接点５
６    段差スペース
【要約】
【課題】本発明は、従来の段差構造による腰掛可能な釣り台をさらに安全性と組み立てが容易にできる携帯性の高い釣り台の提供を行う。
【解決手段】ボックスフレーム上部Aとボックスフレーム下部Bとを脱着、組み替えした後、重複させて連結金具で固定し、四方角に挿入した伸縮自在な支脚をボックスフレームサイド中央に設置したボルト付ラチェットレンチなどで簡単に締め付け固定できる構造とした。連結したボックスフレーム上部Aを座台として、ボックスフレーム下部Bに足を組み入れることで立体的段差型腰掛構造となる。これにより釣行時に長時間安定したバランス姿勢が保て、リラックス釣行が実現できる。またボックスフレームの四方サイドに設けた各種付属品アーム類差込穴に各種テーブルアームやバック置き台などの付属品を釣り人の好みのサイドに装着設置し、釣り台の支脚や各種付属品などをボックスフレーム内部にコンパクトに収納し携帯できる。
【選択図】  図６【図１】
0004171929.tif 000002
【図２】
0004171929.tif 000003
【図３】
0004171929.tif 000004
【図４】
0004171929.tif 000005
【図５】
0004171929.tif 000006
【図６】
0004171929.tif 000007
【図７】
0004171929.tif 000008
【図８】
0004171929.tif 000009
【図９】
0004171929.tif 000010
【図１０】
0004171929.tif 000011
【図１１】
0004171929.tif 000012